(57)【要約】【課題】  使い勝手性や通話を行う上で必要とされる各種機能の選択等の操作を容易に行い得る操作性に優れた電話機を供すること。【解決手段】  本発明に係る電話機は、宛先情報を表示するための表示部２と、電話機操作用の各種ボタンを有する操作部４と、上記表示部２と上記操作部４とを連結する1軸構造の連結部３とを有し、上記連結部３に、上記表示部２に表示される上記宛先情報から通信相手先の宛先情報を選択するための選択手段８を設けた。【選択図】  図１
2005312070.tif 000002
【特許請求の範囲】
【請求項１】
各種情報を表示するための表示部と電話機操作用の各種ボタンを有する操作部とを１軸構
造の連結部で連結し、該連結部をもって前記表示部と前記操作部とを収納折畳み可能なよ
うに構成したことを特徴とする電話機。
【請求項２】
前記表示部に表示される各種情報は、複数の宛先情報を含むことを特徴とする請求項１記
載の電話機。
【請求項３】
前記連結部に、前記表示部に表示される前記複数の宛先情報から通信相手先の宛先情報を
選択するための選択手段を設けたことを特徴とする請求項２載の電話機。
【請求項４】
前記選択手段は、電話機を把持した手の指で操作可能な位置に設けたことを特徴とすする
請求項３記載の電話機。
【請求項５】
前記電話機の使用においては、前記表示部が前記操作部に対して“く”の字状に屈曲した
状態におかれるよう構成したことを特徴とする請求項１記載の電話機。
【請求項６】
前記連結部に、プッシュボタンと、該プッシュボタンが押圧操作されることによって前記
表示部が回動する回動機構とを設けたことを特徴とする請求項１記載の電話機。
【請求項７】
前記プッシュボタンは、電話機を把持した手の指で操作可能な位置に設けたことを特徴と
する請求項６記載の電話機。
【請求項８】
前記電話機が収納折畳み状態にある時に前記プッシュボタンが押圧操作されると、前記回
動機構が作動して、前記表示部が前記操作部に対して“く”の字状に屈曲した状態におか
れることを特徴とする請求項６又は請求項７記載の電話機。
【請求項９】
前記選択手段は、縦方向に回動可能なように構成されていることを特徴とする請求項３又
は請求項４記載の電話機。
【請求項１０】
前記選択手段は、前記連結部の軸方向にスライド可能なように構成されていることを特徴
とする請求項３又は請求項４記載の電話機。
【請求項１１】
前記選択手段は、第１、第２の方向に可動するよう構成したことを特徴とする請求項３又
は請求項４記載の電話機。
【発明の詳細な説明】
【技術分野】
【０００１】
本発明は、使い勝手性や操作性に優れた電話機に関するものである。
【背景技術】
【０００２】
これまでの携帯用無線電話機（以下、単に電話機と称す）では、送受信時に、例えばそ
れ自体が衣服のポケット等より取り出された上、必要な操作が行われた後は情報交換（具
体的には音声による通話等）が行われるようになっており、その後、相手側との情報交換
が終了した場合には、再びポケット等に収納されるものとなっている。ところで、これま
での電話機一般は無線通話機能を始めとして、電子手帳機能等、多機能なものとして構成
されており、必要とされる機能を実際に機能せしめるためには、複雑な操作を所定順に行
わなければならないものとなっている。例えば相手側を呼び出して無線通話を行う場合を
想定すれば、電話機自体はポケット等から取り出され、必要とされる一連の呼び出し操作
が行われた後は、通話可能状態となるべく必要に応じ持ち変えられた上、それ自体が送受
話器、あるいはハンドセットであるかの如く、口や耳付近に移動される必要があるものと
なっている。その際、受信音声の音量を必要に応じ調整するには、通話は一旦中断された
上、この中断状態で音量調整用の釦が操作される必要があるものとなっている。また、複
数ある機能のうち、何れかを選択する場合や、表示画面上に、予め記憶されている所望の
相手先電話番号を呼び出して表示する場合には、必要な釦操作や画面表示の目視確認、所
望のものが選択、あるいは表示された場合での確認釦操作等、各種の釦操作が所定順に行
われる必要があるものである。
【０００３】
なお、この種の機器に関するものとしては、雑誌「ＤＩＭＥ」（１９９１年１０月１７
日、小学館発行、頁８２，８３）に記載のもの（折畳み式のものを含む）が知られている
。
【発明の開示】
【発明が解決しようとする課題】
【０００４】
ところで、これまでの電話機一般では、特に無線通話が行われる際での片手操作がある
程度は配慮されているにしても、それ自体が片手で把持されつつ、しかもその手の指で無
線通話を行う上で必要とされる各種操作を容易に行い得るものは少なく、実際上、片手操
作は困難となっているのが実情である。
【０００５】
したがって、本発明の目的は、使い勝手性や通話を行う上で必要とされる各種機能の選
択等の操作を容易に行い得る操作性に優れた電話機を提供することにある。
【課題を解決するための手段】
【０００６】
上記目的を達成するために、本発明に係る電話機は、各種情報を表示するための表示部
と電話機操作用の各種ボタンを有する操作部とを１軸構造の連結部で連結し、この連結部
をもって上記表示部と操作部とを収納折畳み可能なように構成したことを特徴とする。
【０００７】
また、本発明に係る電話機は、上記表示部に表示される各種情報として複数の宛先情報
を含むことを特徴とする。
【０００８】
また、本発明に係る電話機は、上記連結部に、上記表示部に表示される複数の宛先情報
から通信相手先の宛先情報を選択するための選択手段を設けたことを特徴とする。
【０００９】
また、本発明に係る電話機は、その電話機を把持した手の指で操作可能な位置に、上記
選択手段を設けたことを特徴とする。
【００１０】
また、本発明に係る電話機は、上記連結部に、プッシュボタンと、該プッシュボタンが
押圧操作されることによって上記表示部が回動する回動機構とを設けたことを特徴とする
。
【００１１】
また、本発明に係る電話機は、その電話機を把持した手の指で操作可能な位置に、上記
プッシュボタンを設けたことを特徴とする。
【００１２】
また、本発明に係る電話機は、収納折畳み状態にある時に上記プッシュボタンが押圧操
作されると、上記回動機構が作動して、上記表示部が操作部に対して“く”の字状に屈曲
した状態におかれることを特徴とする。
【００１３】
また、本発明に係る電話機は、上記選択手段が、縦方向に回動可能なように構成されて
いることを特徴とする。
【００１４】
また、本発明に係る電話機は、上記選択手段が、上記連結部の軸方向にスライド可能な
ように構成されていることを特徴とする。
【発明の効果】
【００１５】
以上、説明したように、本発明に係る電話機は、通話を行う上で必要とされる各種操作
が容易に行われ得るものとなっており、操作性や使い勝手性に優れている。
【発明を実施するための最良の形態】
【００１６】
以下、本発明の実施形態を図１から図８により説明する。
【００１７】
先ず本発明による電話機の使用状態での外観について説明すれば、図１はその一例での
外観斜視状態を示したものである。図示のように、電話機本体がその収納折畳み状態から
その折畳み状態が解除され、使用状態におかれた場合での全体外観斜視状態が示されたも
のとなっている。これによる場合、レシーバ部１と表示部（表示装置）２はヒンジ５を介
し自在に屈曲係合された上、これらはまた、収納折畳み回動用のジョイント部３を介し操
作部４と係合されるべく構成されたものとなっている。さて、レシーバ部１の中央部には
レシーバ（受信音声出力用スピーカ）６が具備された上、無線通話時にこれに耳が当てら
れることで、通話相手からの音声が聴取され得るものである。その無線通話状態では、ヒ
ンジ５は図示の如く、“く”の字状に屈曲されることで、操作性や使い勝手性が向上せし
められているものである。また、ジョイント部３は電話機本体の折畳み収納状態から回動
展開された状態、即ち、使用状態を維持するとともに、機能選択操作用のダイヤル８や、
回動操作用機構およびプッシュボタン９が具備せしめられるものとなっている。さらに、
操作部４には情報の記憶／検索や入出力操作用のセットボタン１１や通話開始用の発信(
再発信)ボタン１２、テンキー部１３、通話終了用等の終了ボタン１４が具備された上、
その先端部にはマイクロフォン１０が内蔵されるようになっている。以上の構成によりダ
イヤル８によって無線通話機能が選択された場合には、恰も通常の電話機一般におけるハ
ンドセットの如く、耳にレシーバ６を当て、マイクロフォン１０には口を接近せしめた状
態で、相手側との間で無線通話を行い得るものである。なお、表示部２中央部に具備され
ている液晶表示画面７上にはキー入力された情報や、記憶されている情報のうちから、必
要な情報が呼び出し表示されるものとなっている。
【００１８】
図２はまた、片手（本例では左手）で把持された状態でのその電話機の使用状態を示し
たものである。電話機本体が折畳み収納状態にある場合に、ジョイント部３の左右両端部
を親指ａと人指し指ｂで挾み持ち、親指ａでプッシュボタン９を押圧操作すれば、ジョイント部３を介し表示部２およびレシーバ部１が回動され、安定な使用状態に移行されるものとなっている。さて、電話機本体は基本的には親指球ｃと残り３つの指ｄで把持されることから、親指ａや人指し指ｂを電話機本体より離しても、電話機本体が手から落下する、といった不都合は生じないものである。したがって、そのように電話機本体が把持されている状態では、液晶表示画面７上での表示を確認しつつ、親指ａでダイヤル８や操作部４上の各種操作ボタンを操作し得るものである。
【００１９】
図３は無線通話状態にある電話機本体を外面（背面）側よりみた使用斜視状態を示した
ものである。図示のように、レシーバ６に耳が当てられ、マイクロフォン１０には口を接
近させた状態での電話機を、電話機を把持している片手の背後よりみた状態として示した
ものである。図示のように、人指し指ｂはジョイント部３の一端部より離され、その人指
し指ｂによりダイヤル８が操作されているが、このことは、ダイヤル８は内面側からは親
指ａによって、その外面側からは人指し指ｂによって操作可能であることを示唆したものとなっている。したがって、ダイヤル８が非無線通話状態では各種機能（具体的には、送信／受信、電話番号、シークレット、入力、出力、記憶、計算、時刻、リモコン、スケジュール、コール（呼び出し）、クリヤー、カレンダー、辞書、地図、文字、数字等）を選択するためのものとして、また、無線通話状態では受信音声音量調整用として機能すべく、縦方向に回動自在として、且つ内外両面からダイヤル操作可としてジョイント部３に具備されている場合には、無線通話状態での受信音声の音量調整が通話を中断することなく行い得るものである。
【００２０】
図４は電話機が片手で把持されている状態での片手操作方法を示したものである。図示
のように、電話機本体は操作部４のその左右両側端が親指球ｃと３つの指ｄで挾持された
状態で、親指ａがプッシュボタン９を押圧操作すれば、それまで折畳み収納状態にあった
本電話機本体は、レシーバ部１および表示部２はジョイント部３を介し回動されることで
、安定な使用状態に移行されるものとなっている。この使用状態で、例えば無線通話が行
われるものとしてその操作を説明すれば、先ずダイヤル８が親指位置ｆで操作されれば、
液晶表示画面７には予め入力記録されている氏名とその電話番号が検索表示されるものと
なっている。その後、相手先電話番号を確認し親指位置ｇでセットボタン１１を押圧操作
した上、親指位置ｈで発信(再発信)ボタン１２を操作すれば、公知の技術により無線通話
が開始されるものとなっている。やがて、無線通話が終了すると、親指位置ｉで終了ボタ
ン１４が押圧操作されることで、無線通話に必要とされる一連の操作は完了されるもので
ある。即ち、液晶表示画面７の視認とダイヤル８や発信(再発信)ボタン１２、終了ボタン
１４に対する親指ａの操作運動域範囲は、図に示す破線Ａ，Ｂで囲まれている範囲とされ
、その範囲内では親指ａは必要な操作を容易に行い得るものであり、その範囲は、とりも
なおさず親指ａの生体指骨構成の付け根を中心とした間接ｅでの複合した回転や回動、進
退屈曲運動による範囲でもある。したがって、破線Ａ，Ｂで囲まれている範囲に、無線通
話を行う上で必要とされるダイヤル８や各種ボタンが配置される場合には、片手操作でそ
れらダイヤル８や各種ボタンが操作され得、片手操作性が向上され得るものである。
【００２１】
図５は本発明に係るジョイント部３の一例での部分断面を示したものである。これによ
る場合、ジョイント部３を構成しているケース１５とボタン軸１９は操作部４に固定され
ており、ケース１５の中心端面部に形成されているボス軸１６には回動自在に中空フラン
ジ１８が係合されるものとなっている。ボタン軸１９に形成されているスリーブ軸２２に
も回動自在にスリーブフランジ２０が係合されるものとなっている。回動自在な中空フラ
ンジ１８とスリーブフランジ２０はシャシ１７で固定されており、シャシ１７は表示部２
の内部で安定に固着されようになっている。したがって、操作部４と表示部２はジョイン
ト部３を介し相互に折畳み可として自在に係合されているものである。
【００２２】
また、ボタン軸１９の端面からはプッシュボタン９が進退自在に挿入されるが、プッシ
ュボタン９に形成されているシャンク２３はスリーブ軸２２内側に摺動可能に嵌合係合さ
れるものとなっている。そのシャンク２３にはまた、ストッパーピース２４が具備された
上、スリーブ軸２２とスリーブフランジ２０の端面に形成された切欠き２５、２６各々に
係合されるようになっている。これにより、スリーブフランジ２０の回動は停止され、し
たがって、表示部２の回動も安定に停止安定され得るものである。なお、スリーブ軸２２
の切欠き２６はプッシュボタン９の軸方向の最大ストロークに対してもストッパーピース
２４が係合を解除することはない。それに対し、スリーブフランジ２０の切欠き２５は係
合が解除され自由に回動し得るものである。このスリーブフランジ２０の切欠き２５は電
話機が使用状態にある場合での開位置と、収納折畳み状態にある場合での収納位置（図示
せず）とに形成されているものである。
【００２３】
さらに、ケース１５内部にはねじりコイルバネ２１が具備されており、その一端はケー
ス１５に結合固定され、他端はケース１５より突出されて中空フランジ１８に形成された
バネ穴に係合されている。これにより、プッシュボタン９が押圧操作されれば、ストッパ
ーピース２４が収納時切欠き２５(図示せず)での停止を開放し、ねじりコイルバネ２１の
弾性力が開放される結果、中空フランジ１８が回動され、したがって、レシーバ部１およ
び表示部２が回動され使用状態に至らしめられるものである。その使用状態での組込結合
でも、ねじりコイルバネ２１にはまだ残留弾性力が残されていることから、引続き開方向
への回動力が与えられたものとなっている。このことは、電話機が使用状態にある場合で
の不要ながたつきがその回動力により防止されていることを示唆している。
【００２４】
さらに、ダイヤル８が係合されているダイヤル軸２８がその機械的位置読取り上、その
軸方向に移動可とされる場合には、シャンク２３の端面がストッパとしてのストロークの
停止位置となり、シャンク２３とシャフト２７との圧入結合は、ダイヤル軸２８に作用す
る操作力程度では解除されないものとなっている。ダイヤル軸２８とシャフト２７は同一
軸上で軸方向スライドとその軸周りに回動可とされているが、シャフト２７はダイヤル軸
２８内部で摺動、且つ回動自在な状態として支持された上、その他端はジョイスティック
２９に至らしめられるものとなっている。そのジョイスティック２９内にはシャフト２７
に連動する電源スイッチ（図示せず）が具備されており、外部よりプッシュボタン９が操
作されることによって、電話機が収納折畳み状態から使用状態へと移行せしめられるとと
もに、電話機には電源が投入され得るものである。また、ジョイスティック２９内部には
ボリューム（受信音声音量調整用等）やセンサ（機能選択用等）が具備された上、ダイヤ
ル軸２８の動きに応じて感応動作せしめられるものとなっている。ダイヤル軸２８はジョ
イント部３の中央付近まで延ばされた上、先端部分にダイヤル８が圧入固定されているが
、ダイヤル８は他の部品に接触することなく円滑に軸方向でのスライド、その軸周りでの
回動が可能とされているものである。また、ジョイスティック２９内部のセンサは操作部
４の各種の機能ボタンの操作によっても、必要な機能が切替えにより選択されるものとな
っている。このようにして選択された機能はコードＥを介し表示処理回路(図示せず)に至
らしめられた上、その機能が実行される上で必要とされる各種表示が行われるものである
。なお、本例でのダイヤル８はカーソル位置制御用としても機能するが、ダイヤル８とは
別にその近傍にカーソル位置制御専用ダイヤルを具備せしめるようにしてもよいものであ
る。
【００２５】
図６はまた、ジョイント部３やレシーバ部１および表示部２を含む部分断面を示したも
のである。図示のように、操作部４に固定されたジョイント部３の一部としての摺動リン
グ３０に沿って表示部２が回動可とされているが、その表示部２の内部には細いスライド
ピン３１の一端が摺動リング３０に絶えず押しつけられるべく状態で組み込まれたものと
なっている。そのスライドピン３１の他端はまた、表示部２、レシーバ部１間を屈曲可能
としたヒンジ５に連動するヒンジピース３２に回動自在に系合されたものとなっている。
そのヒンジピース３２には伸縮可能なバネ３３が固定され他端はレシーバ部１内部に形成
されたバネ座３４に固定されるようになっている。電話機の使用状態では、図示の如くに
、レシーバ部１はバネ３３の作用により実線表示の屈曲位置で安定しているが、レシーバ
部１に対し不要な力が作用した場合には、レシーバ部１は破線表示の如くに回動されるこ
とで、電話機自体が保護されるばかりか、無線通話状態では、レシーバ部１は耳に弾力性
を以て接触されることから、接触状態良好にして受信音声を聴取し得るものである。また
、電話機の収納折畳み状態時には、ジョイント部３に介し破線表示の如くに、レシーバ部
１と表示部２は折畳まれるが、その際、スライドピン３１が摺動リング３０の電話機収納
位置に形成されている切欠き３５に係合されるから、安定した状態でレシーバ部１と表示
部２は折畳まれるものとなっている。その折畳みの際には、スライドピン３１に連動した
ヒンジピース３２が表示部２内部に引き込まれ、したがって、それまで表示部２に対し屈
曲状態にあったレシーバ部１は、表示部２に沿うべく直線状に伸ばされた状態で折畳まれ
るものとなっている。
【００２６】
図７は同じく電話機が収納折畳み状態にある場合での部分断面斜視状態を示したもので
ある。図示のように、収納折畳み状態では、ジョイント部（摺動リング３０と同等）３の
外周の一部に形成されている切欠き３５には、表示部２内部に組み込まれているスライド
ピン３１が係合されることで、収納折畳み状態は安定化されたものとなっている。この収
納折畳み状態で、プッシュボタン９が操作されれば、使用状態に移行すべくレシーバ部１
および表示部２は回動され、スライドピン３１は切欠き３５よりスライド離脱されること
で、レシーバ部１は表示部２に対し屈曲した状態におかれるものである。
【００２７】
最後に、ダイヤル８によるカーソル位置制御について説明すれば、図８はその際でのダ
イヤル操作方法を示したものである。図示のように、ジョイント部３に具備されているダ
イヤル８は液晶表示７画面上での着目表示位置、即ち、カーソル３７位置を更新するのに
用いられており、その更新の際には、親指ａがダイヤル８上の任意位置ｊに接触せしめら
れた状態で、親指ａがＡ矢視の左右方向か、Ｂ矢視の上下方向に任意に操作されるものと
なっている。即ち、ダイヤル８が自由状態にある場合には、ダイヤル８は左右方向にそれ
ぞれ同一大きさのクリアランス３６ｂ，３６ａを維持して安定しているが、Ａ矢視方向へ
の親指ａによる操作は、それらクリアランス３６ａ，３６ｂの大きさを変更するもので、
この変更はジョイスティック２９内のセンサによって感知されることで、例えばダイヤル
８が右方向へ操作されれば、液晶表示画面７上でカーソル３７は右方向位置に移動される
ものである。親指ａをダイヤル８より開放すれば、ダイヤル８は自動的に中央位置に復元
されるものである。また、ダイヤル８の親指ａによる上下方向操作はダイヤル８を上下方
向に回転せしめるが、その際での回転方向および回転量はジョイスティック２９内のボリ
ューム、あるいはセンサによって感知されることで、カーソル３７は液晶表示画面７上で
上下方向に移動可とされているものである。ダイヤル８とは別にその近傍にカーソル位置
制御専用ダイヤルが具備せしめられている場合には、そのカーソル位置制御専用ダイヤル
が同様に操作されることで、カーソル３７の位置が制御され得るものである。
【００２８】
したがって、例えば液晶表示画面７上に必要な文字や数字、記号等を全て表示せしめた
状態で、カーソル３７を所望の位置に順次移動せしめるようにすれば、移動位置での文字
等が入力対象として順次選択された上、入力処理され得るものである。また、例えばカー
ソル３７を所望文字位置に移動させた状態で、操作部４上でセットボタン１１が操作され
る場合には、液晶表示画面７上段には、例えば氏名および電話番号の部分覧が表示され得
るものである。これまでにあっては、専ら必要回数に亘るテンキー操作によって所望の文
字列等が組立てられる、といった具合に、煩雑、且つ複雑で、しかも操作回数が多いキー
処理が要されていたが、以上の如くに表示処理等が行われる場合は、そのような不具合は
軽減化され得るものである。
【図面の簡単な説明】
【００２９】
【図１】図１は、本発明による電話機の一例での外観斜視状態を示す図。
【図２】図２は、片手で把持された状態でのその電話機の使用状態を示す図。
【図３】図３は、無線通話状態にあるその電話機を外面（背面）側よりみた使用斜視状態を示す図。
【図４】図４は、その電話機が片手で把持されている状態での片手操作方法を説明するための図。
【図５】図５は、本発明に係るジョイント部の部分断面を示す図。
【図６】図６は、そのジョイント部やレシーバ部および表示部を含む部分断面を示す図。
【図７】図７は、同じく電話機が収納折畳み状態にある場合での部分断面斜視状態を示す図。
【図８】図８は、本発明に係るダイヤル操作によるカーソル位置制御方法を示す図。
【符号の説明】
【００３０】
１…レシーバ部、２…表示部（表示装置）、３…ジョイント部、４…操作部、５…ヒンジ
、６…レシーバ、７…液晶表示画面、８…ダイヤル、９…プッシュボタン、１０…マイク
ロフォン、１１…セットボタン、１２…発信(再発信)ボタン、１３…テンキー部、１４…
終了ボタン。
【図１】
2005312070.tif 000003
【図２】
2005312070.tif 000004
【図３】
2005312070.tif 000005
【図４】
2005312070.tif 000006
【図５】
2005312070.tif 000007
【図６】
2005312070.tif 000008
【図７】
2005312070.tif 000009
【図８】
2005312070.tif 000010
【手続補正書】
【提出日】平成17年6月14日(2005.6.14)
【手続補正１】
【補正対象書類名】特許請求の範囲
【補正対象項目名】全文
【補正方法】変更
【補正の内容】
【特許請求の範囲】
【請求項１】
複数の情報を記憶する記憶手段と、
前記複数の情報の中の１つ以上の情報を選択肢として表示画面上に表示する表示手段と、
第１の方向と第２の方向に操作を行うことができ、前記第1の方向へ操作した場合と、前記第２の方向に操作した場合とで、前記複数の情報の中からそれぞれ異なる情報を選択する選択操作部と、
を備えることを特徴とする電話機。
【請求項２】
前記表示手段は、前記選択されている情報をその他の情報と視覚的に区別せしめる着目表示位置を前記表示画面上に表示することを特徴とする請求項１に記載の電話機。
【請求項３】
前記表示手段は、前記選択操作部が前記第１の方向へ操作されると、前記着目表示位置を前記表示画面上で上下方向に移動させ、前記選択操作部が前記第２の方向へ操作されると、前記着目表示位置を前記表示画面上で左右方向に移動させることを特徴とする請求項２に記載の電話機。
【請求項４】
複数の情報を記憶する記憶手段と、
第１の方向と第２の方向に操作を行うことができ、前記複数の情報の中から所望の情報を選択する選択操作部と、
前記複数の情報を２次元配列状に配置し、前記２次元配列上に配置された複数の情報を表示画面上に表示し、前記選択操作部によって選択された情報を他の情報と視覚的に区別可能な様に表示画面上に表示する表示手段と、を備え、
前記選択操作部を前記第１の方向に操作すると、選択される情報が前記２次元配列における行の方向に切替わり、前記選択操作部を前記第２の方向に操作すると、選択される情報が前記２次元配列における列の方向に切替わることにより情報の選択を行うことを特徴とする電話機。
【請求項５】
前記複数の情報は発信先の情報であることを特徴とする請求項１ないし４のいずれかに記載の電話機。
【請求項６】
前記複数の情報は電話番号であることを特徴とする請求項５に記載の電話機。
【請求項７】
前記電話機は携帯電話機であって、前記選択操作部により選択された情報を入力あるいは実行する釦操作部を備え、前記携帯電話機を片手で把持し、かつ、前記表示手段によって表示された情報を目視した状態において、前記片手の親指を可動することが可能な範囲内に前記選択操作部と前記釦操作部と、を配置することを特徴とする請求項１ないし６のいずれかに記載に電話機。
【請求項８】
複数の機能を備えた電話機であって、
前記複数の機能の中の１つ以上の情報を選択肢として表示画面上に表示する表示手段と、
第１の方向と第２の方向に操作を行うことができ、前記第１の方向へ操作した場合と、前記第２の方向に操作した場合とで、複数の情報の中からそれぞれ異なる情報を選択する選択操作部と、
前記表示手段は、前記選択操作部によって選択された機能に関連する情報を表示することを特徴とする電話機。
【請求項９】
前記電話機は携帯電話機であって、前記携帯電話機を片手で把持し、かつ、前記表示手段によって表示された情報を目視した状態において、前記片手の親指の可動をすることが可能な範囲内に前記選択操作部と、を配置することを特徴とする請求項８に記載に電話機。
【請求項１０】
複数の情報を記憶する記憶手段と、
前記記憶手段に記憶された複数の情報を表示する表示手段と、
第１の方向と第２の方向に操作可能であって、ユーザが前記第１の方向および前記第２の方向に操作することにより、前記複数の情報の中から１つを選択する機能選択操作部と、
を備えていることを特徴とする電話機。
【請求項１１】
前記第１の方向は上下の方向であり、前記第２の方向は左右の方向であることを特徴とする請求項１ないし１０のいずれかの電話機。
【手続補正２】
【補正対象書類名】明細書
【補正対象項目名】０００６
【補正方法】変更
【補正の内容】
【０００６】
前記目的は、特許請求の範囲記載の発明によって達成される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
以上、説明したように、本発明に係る電話機は、各種操作が容易に行われ得るものとなっており、操作性や使い勝手性に優れている。